(57)【要約】【課題】信頼性の高いエレベーター監視システムを提供する。【解決手段】エレベーターの保守作業に係る保守コンソールと無線通信を行う無線通信アダプタと、エレベーターの運転モードがエレベーターの平常運転中を示す平常運転モードであるか否かを判定する第１判定部と、無線通信アダプタからの指令に応じて保守コンソールが送信した応答データを所定時間内に無線通信アダプタが受信したか否かを判定する第２判定部と、第１判定部の判定結果と第２判定部の判定結果とに基づいて、設定を切り替える切替部と、を備え、切替部は、設定が行われているときに、エレベーターの運転モードが平常運転モードであると第１判定部により判定され、無線通信アダプタからの指令に応じて保守コンソールが送信した応答データを所定時間内に無線通信アダプタが受信しなかったと第２判定部により判定された場合、設定を解除するようにした。【選択図】図１
2019011160.tif 000002
【特許請求の範囲】
【請求項１】
エレベーターの保守作業の際に監視センターへの故障発報を禁止するための設定が行われるエレベーター監視装置であって、
前記エレベーターの保守作業に係る保守コンソールと無線通信を行う無線通信アダプタと、
前記エレベーターの運転モードが前記エレベーターの平常運転中を示す平常運転モードであるか否かを判定する第１判定部と、
前記無線通信アダプタからの指令に応じて前記保守コンソールが送信した応答データを所定時間内に前記無線通信アダプタが受信したか否かを判定する第２判定部と、
前記第１判定部の判定結果と前記第２判定部の判定結果とに基づいて、前記設定を切り替える切替部と、
を備え、
前記切替部は、前記設定が行われているときに、前記エレベーターの運転モードが前記平常運転モードであると前記第１判定部により判定され、前記無線通信アダプタからの指令に応じて前記保守コンソールが送信した応答データを前記所定時間内に前記無線通信アダプタが受信しなかったと前記第２判定部により判定された場合、前記設定を解除する、
ことを特徴とするエレベーター監視システム。
【請求項２】
前記無線通信アダプタは、電波の出力を上げて前記保守コンソールに前記指令を送信し、
前記保守コンソールは、電波の出力を上げて前記無線通信アダプタに前記応答データを送信する、
ことを特徴とする請求項１に記載のエレベーター監視システム。
【請求項３】
前記無線通信アダプタが前記保守コンソールから受信する電波の電波強度がしきい値を超えるか否かを判定する第３判定部を備え、
前記無線通信アダプタは、前記無線通信アダプタが前記保守コンソールから受信する電波の電波強度が前記しきい値未満であると前記第３判定部により判定された場合、前記保守コンソールに前記指令を送信する、
ことを特徴とする請求項１に記載のエレベーター監視システム。
【請求項４】
前記保守コンソールは、前記指令を受信した場合、電波強度が弱くなっている旨を表示する、
ことを特徴とする請求項３に記載のエレベーター監視システム。
【発明の詳細な説明】
【技術分野】
【０００１】
本発明はエレベーター監視システムに関し、例えばエレベーターの保守作業の際に監視センターへの故障発報を禁止するための設定が行われるエレベーター監視システムに適用して好適なものである。
【背景技術】
【０００２】
従来、エレベーター異常監視通報システムにおいては、監視装置がエレベーターの状態を監視し、異常を検知した場合、通信回線を介して監視センターに対して発報するものが知られている。例えば、エレベーターのドアの開状態が所定時間継続（ドア開放置）した場合などにも、異常として発報される。
【０００３】
このようなエレベーター異常監視通報システムでは、エレベーターの保守作業の際に、保守作業により発生するドア開放置などの発報を行わないように、監視装置本体、監視装置にアクセス可能な保守コンソール等により、発報禁止の設定をしたり発報禁止の設定を解除したりすることで、発報をコントロールできる構成としている。
【０００４】
例えば、発報禁止の設定を解除する操作を忘れた場合でも、所定時間の経過後に通報手段が作動して放置状態の通報が行われる異常監視通報装置が開示されている（特許文献１参照）。また、例えば、エレベーター内外に設置した遠隔操作パネルを操作して、発報禁止の設定、その解除を行うエレベーター異常監視通報システムが開示されている（特許文献２参照）。
【先行技術文献】
【特許文献】
【０００５】
【特許文献１】特開平３−９７１００号公報
【特許文献２】特開２００３−４０５４５号公報
【発明の概要】
【発明が解決しようとする課題】
【０００６】
上述した特許文献１に記載の技術では、保守員が発報禁止の設定を解除し忘れた場合、所定時間の経過後に通報手段が作動して放置状態の通報が行われるが、その後、発報禁止の設定を手動で解除する必要があり、解除されるまでにタイムラグが生じ得る。また、特許文献２に記載の技術では、遠隔操作により発報禁止の設定を解除することができるが、発報禁止の設定を手動で解除する必要があり、解除されるまでにタイムラグが生じ得る。そのため、発報禁止の設定が解除されるまでの間、利用者がエレベーターに閉じ込められた場合等においても、発報が行われなくなってしまうという問題が生じる。
【０００７】
本発明は以上の点を考慮してなされたもので、発報禁止の設定を適切に管理する信頼性の高いエレベーター監視システムを提案しようとするものである。
【課題を解決するための手段】
【０００８】
かかる課題を解決するため本発明においては、エレベーターの保守作業の際に監視センターへの故障発報を禁止するための設定が行われるエレベーター監視装置であって、前記エレベーターの保守作業に係る保守コンソールと無線通信を行う無線通信アダプタと、前記エレベーターの運転モードが前記エレベーターの平常運転中を示す平常運転モードであるか否かを判定する第１判定部と、前記無線通信アダプタからの指令に応じて前記保守コンソールが送信した応答データを所定時間内に前記無線通信アダプタが受信したか否かを判定する第２判定部と、前記第１判定部の判定結果と前記第２判定部の判定結果とに基づいて、前記設定を切り替える切替部と、を備え、前記切替部は、前記設定が行われているときに、前記エレベーターの運転モードが前記平常運転モードであると前記第１判定部により判定され、前記無線通信アダプタからの指令に応じて前記保守コンソールが送信した応答データを前記所定時間内に前記無線通信アダプタが受信しなかったと前記第２判定部により判定された場合、前記設定を解除するようにした。
【０００９】
上記構成によれば、例えば、エレベーターの運転モードと、保守コンソールおよび無線通信アダプタ間の接続状況とを把握することで、エレベーターの保守作業が終了したか否かを判断し、発報禁止の設定を自動で解除することができる。
【発明の効果】
【００１０】
本発明によれば、信頼性の高いエレベーター監視システムを実現することができる。
【図面の簡単な説明】
【００１１】
【図１】第１の実施の形態によるエレベーター監視システムの実施態様例を示すである。
【図２】第１の実施の形態によるエレベーター監視システムの構成の一例を示す図である。
【図３】第１の実施の形態によるエレベーター監視システムの動作に係る処理手順の一例を示す図である。
【発明を実施するための形態】
【００１２】
以下図面について、本発明の一実施の形態を詳述する。
【００１３】
（１）第１の実施の形態
図１において、１は全体として第１の実施の形態によるエレベーター監視システムを示す。図１においてエレベーター監視システム１のエレベーターは、昇降路１０、エレベーター利用者が乗車する乗りかご２０、釣合い錘３０、任意の位置に設置されるモーター４０、モーター４０に巻きかけられ、乗りかご２０と釣合い錘３０とを懸架する主ロープ５０、エレベーターの運行を制御する手段を備えた制御盤１００等を含んで構成される。
【００１４】
昇降路１０は、４階床用であり、１階から４階までの各乗り場には、乗り場ドア６０が設置される。モーター４０を正逆転させることで、乗りかご２０は、昇降駆動され、行き先階に応じて各階の停止位置を示す着床レベル７０で停止し、乗りかごドア８０と着床した階の乗り場ドア６０とが開かれる。乗りかご２０の昇降駆動は、乗りかご２０内の図示しないかご呼びで行き先階を登録する、または各階の乗り場に設けられた図示しない乗り場呼びで乗りかご２０を呼び寄せることで行われる。
【００１５】
制御盤１００は、エレベーターの運行を制御するためのエレベーター制御装置１１０とエレベーターの運行を監視するためのエレベーター監視装置１２０とを備え、エレベーターの運行を制御すると共に、エレベーターの運行を監視する。
【００１６】
また、乗り場には、無線通信アダプタ２００が設置され、制御盤１００内のエレベーター監視装置１２０と図示しない通信ケーブルで接続されている。また、無線通信アダプタ２００は、エレベーターの保守作業（保守点検作業）を行う保守作業員が操作する保守コンソール３００と無線通信可能に接続される。
【００１７】
図２は、エレベーター監視システム１の構成の一例を示す図である。エレベーター監視システム１は、制御盤１００、無線通信アダプタ２００、および保守コンソール３００を備える。
【００１８】
制御盤１００は、エレベーター制御装置１１０とエレベーター監視装置１２０とを有する。エレベーター制御装置１１０は、運転モード切替部１１１、運転制御部１１２、およびエレベーター制御装置通信部１１３を備える。なお、運転モード切替部１１１、運転制御部１１２、およびエレベーター制御装置通信部１１３における各種の機能は、回路等のハードウェアにより実現されてもよいし、コントローラー（図示せず。）がプログラムをメモリ（図示せず。）に読み出して実行等するソフトウェアにより実現されてもよいし、これらが組み合わされて実現されてもよい。
【００１９】
ここで、エレベーター監視システム１のエレベーターには、運転モードとして、エレベーターが平常運転していることを示す平常運転モードと保守作業中であることを示す保守運転モード（例えば、乗り場のかご呼びを受け付けなくなる。）とがある。運転モード切替部１１１は、運転モードの切り替えを行う。運転制御部１１２は、エレベーターの運転を制御すると共に、エレベーターの運転情報（運転モードを示す情報など）をエレベーター制御装置通信部１１３に通知する。エレベーター制御装置通信部１１３は、エレベーターの運転情報等をエレベーター監視装置１２０に送信する。
【００２０】
エレベーター監視装置１２０は、エレベーター監視装置制御部１２１、故障検出部１２２、故障発報部１２３、発報禁止モード切替部１２４、およびエレベーター監視装置通信部１２５を備える。なお、これらにおける各種の機能は、回路等のハードウェアにより実現されてもよいし、コントローラー（図示せず。）がプログラムをメモリ（図示せず。）に読み出して実行等するソフトウェアにより実現されてもよいし、これらが組み合わされて実現されてもよい。
【００２１】
エレベーター監視装置制御部１２１は、受信した運転情報を故障検出部１２２に送信したり、無線通信アダプタ２００に電波強度（電界強度）を問い合わせたりする等してエレベーター監視装置１２０を制御する。
【００２２】
エレベーター監視装置１２０の制御において、エレベーター監視装置制御部１２１は、エレベーターの運転モードがエレベーターの平常運転中を示す平常運転モードであるか否かを判定する第１判定部として機能し得る。また、エレベーター監視装置制御部１２１は、無線通信アダプタ２００からの指令に応じて保守コンソール３００が送信した応答データを所定時間内に無線通信アダプタ２００が受信したか否かを判定する第２判定部として機能し得る。また、エレベーター監視装置制御部１２１は、無線通信アダプタ２００が保守コンソール３００から受信する電波の電波強度がしきい値を超えるか否かを判定する第３判定部として機能し得る。
【００２３】
上述の機能は、組み合わせて用いることができる。例えば、エレベーター監視装置制御部１２１は、受信した運転情報と電波強度とに基づいて電波強度を増幅するか否かを判定する。より具体的には、エレベーター監視装置制御部１２１は、運転モードが平常運転モードであり、かつ、電波強度が一定値（しきい値）未満（減衰状態）であると判定した場合、保守コンソール３００が無いかを探索するために、電波強度を増幅すると判定する。エレベーター監視装置制御部１２１は、電波強度を増幅すると判定した場合、エレベーター監視装置通信部１２５を介して無線通信アダプタ２００に電波強度の増幅指令を送信する。また、例えば、エレベーター監視装置制御部１２１は、エレベーターの運転モードが保守運転モード、または電波強度が一定値以上（通常状態）であると判定した場合、電波強度の増幅は行わず現状のままと判定する。
【００２４】
故障検出部１２２は、受信した運転情報からエレベーターが故障状態にあるか否かを判定する。故障発報部１２３は、故障検出部１２２が故障状態であると判定した場合、通信回線を介して当該エレベーターが故障状態であることを監視センター４００に送信する。ここで、エレベーター監視装置１２０における制御モードとして、故障検出部１２２が故障を検出しても故障発報部１２３が故障発報を行わない発報禁止モードが設けられる。発報禁止モード切替部１２４は、発報禁止モードの設定（エレベーターの保守作業の際に監視センター４００への故障発報を禁止するための設定。例えば、オンおよびオフ）を切り替える。エレベーター監視装置通信部１２５は、電波強度の問い合わせ、電波強度の増幅指令などを無線通信アダプタ２００に送信する。
【００２５】
無線通信アダプタ２００は、有線通信部２０１、無線通信アダプタ近距離無線通信部２０２、および無線通信アダプタ制御部２０３を備える。なお、これらにおける各種の機能は、回路等のハードウェアにより実現されてもよいし、コントローラー（図示せず。）がプログラムをメモリ（図示せず。）に読み出して実行等するソフトウェアにより実現されてもよいし、これらが組み合わされて実現されてもよい。
【００２６】
有線通信部２０１は、エレベーター監視装置１２０との通信を制御し、例えば、エレベーター監視装置１２０から電波強度の増幅指令を受信したり、電波強度の増幅指令に基づいて保守コンソール３００から送信される応答データの受信状況をエレベーター監視装置１２０に送信（回答）したりする。無線通信アダプタ近距離無線通信部２０２は、電波強度の増幅指令に基づいて電波強度を増幅し、通常よりも出力を上げて（例えば出力最大で）保守コンソール３００に電波強度の増幅指令を送信する。無線通信アダプタ制御部２０３は、無線通信アダプタ２００および保守コンソール３００間における電波強度（保守コンソール３００が送信した電波の電波強度）を検出する等して無線通信アダプタ２００を制御する。
【００２７】
保守コンソール３００は、発報禁止モード切替指令送信部３０１、保守コンソール近距離無線通信部３０２、および保守コンソール制御部３０３を備える。なお、これらにおける各種の機能は、回路等のハードウェアにより実現されてもよいし、コントローラー（図示せず。）がプログラムをメモリ（図示せず。）に読み出して実行等するソフトウェアにより実現されてもよいし、これらが組み合わされて実現されてもよい。
【００２８】
保守コンソール３００は、保守作業員が携帯するエレベーター保守用のコンソール（ノートパソコン、スマートフォン等）である。かかる保守コンソール３００は、保守コンソール近距離無線通信部３０２によって無線通信アダプタ近距離無線通信部２０２と無線通信を行い、運転制御部１１２、故障検出部１２２等にアクセスしてエレベーターの運転情報、故障検出状況などの確認を行う。
【００２９】
発報禁止モード切替指令送信部３０１は、保守作業員のユーザ操作に基づいて、保守作業時には作業による不要な故障発報を防止するために、保守コンソール近距離無線通信部３０２を介して発報禁止モードへの切替指令をエレベーター監視装置１２０に送信する。
【００３０】
保守コンソール近距離無線通信部３０２は、発報禁止モードへの切替指令を無線通信アダプタ２００を介してエレベーター監視装置１２０に送信したり、電波強度を増幅し、出力最大で応答データを無線通信アダプタ２００に送信したりする。なお、無線通信アダプタ２００が電波強度の増幅指令を送信後、一定時間内に保守コンソール３００からの応答データを受信しなかった場合、近辺に保守コンソール３００が存在しない、即ち保守作業員は作業を終了して点検区域から退出したとエレベーター監視装置制御部１２１により判定され、発報禁止モード切替部１２４は、この判定結果に従って発報禁止モードの自動解除を行う。
【００３１】
保守コンソール制御部３０３は、保守コンソール近距離無線通信部３０２が電波強度の増幅指令を受信した場合、保守コンソール３００の画面上に電波強度が弱くなっている旨（メッセージ）を表示し、保守作業員に注意を促すなど、保守コンソール３００を制御する。
【００３２】
図３は、エレベーター監視システム１の動作に係る処理手順の一例を示す図である。
【００３３】
（エレベーター監視装置１２０が実行する処理）
エレベーター監視装置１２０は、発報禁止設定中であるか否か（発報禁止モードがオンであるか否か）を判定する（ステップＳ１０）。エレベーター監視装置１２０は、発報禁止設定中であると判定した場合、ステップＳ１１に処理を移し、発報禁止設定中でないと判定した場合、ステップＳ１０に処理を移す。
【００３４】
ステップＳ１１では、エレベーター監視装置１２０は、無線通信アダプタ２００に電波強度を問い合わせる。この際、無線通信アダプタ２００は、電波強度の問い合わせを受信した場合、最新の電波強度をエレベーター監視装置１２０に回答する。
【００３５】
続いて、エレベーター監視装置１２０は、電波強度が減衰しているか否か（電波強度が一定値未満であるか否か）を判定する（ステップＳ１２）。エレベーター監視装置１２０は、電波強度が減衰していると判定した場合、ステップＳ１３に処理を移し、電波強度が減衰していないと判定した場合、ステップＳ１８に処理を移す。
【００３６】
ステップＳ１３では、エレベーター監視装置１２０は、エレベーターの運転モードをエレベーター制御装置１１０に問い合わせる。この際、エレベーター制御装置１１０は、現在の運転モードをエレベーター監視装置１２０に送信する。
【００３７】
続いて、エレベーター監視装置１２０は、エレベーターが平常運転中であるか否か（運転モードが平常運転モードであるか否か）を判定する（ステップＳ１４）。エレベーター監視装置１２０は、平常運転中であると判定した場合、ステップＳ１５に処理を移し、平常運転中でないと判定した場合、ステップＳ１８に処理を移す。
【００３８】
ステップＳ１５では、エレベーター監視装置１２０は、保守コンソール３００を探索するため、電波強度の増幅指令を無線通信アダプタ２００に送信する。
【００３９】
ここで、エレベーター監視装置１２０は、無線通信アダプタ２００が所定時間内に保守コンソール３００からの応答データを受信した場合、電波強度の増幅指令に対応する受信状況（回答）を無線通信アダプタ２００から受信する（ステップＳ１６）。
【００４０】
続いて、エレベーター監視装置１２０は、所定時間の経過後に、無線通信アダプタ２００からの回答があったか否か（無線通信アダプタ２００が保守コンソール３００からの応答データを所定時間内に受信したか否か）を判定する（ステップＳ１７）。エレベーター監視装置１２０は、回答があったと判定した場合、近辺に保守コンソール３００が存在すると判定し、ステップＳ１８に処理を移す。他方、エレベーター監視装置１２０は、回答がなかったと判定した場合、近辺に保守コンソール３００が存在しない、即ち保守作業員は作業を終了して点検区域から退出したと判定し、ステップＳ１９に処理を移す。
【００４１】
ステップＳ１８では、エレベーター監視装置１２０は、発報禁止モードを継続し、ステップＳ１１に処理を移す。
【００４２】
ステップＳ１９では、エレベーター監視装置１２０は、発報禁止モードの設定を解除（発報禁止モードをオフにセット）し、ステップＳ１０に処理を移す。
【００４３】
（無線通信アダプタ２００が実行する処理）
無線通信アダプタ２００は、保守コンソール３００とデータ送受信を行う（ステップＳ２０）。この際、無線通信アダプタ２００は、データ受信時の電波強度（例えば、ＲＳＳＩ（Received  Signal  Strength  Indicator）値）を算出してメモリ（図示せず。）に記憶する。なお、データ送受信は、適宜に行われるものであってもよいし、定期的に行われるものであってもよいし、適宜かつ定期的に行わるものであってもよいし、その他のタイミングで行われるものであってもよい。
【００４４】
ここで、無線通信アダプタ２００は、電波強度の問い合わせをエレベーター監視装置１２０より受信すると、最新のデータ送受信における電波強度を読み出し、エレベーター監視装置１２０に送信（回答）する（ステップＳ２１）。
【００４５】
続いて、無線通信アダプタ２００は、エレベーター監視装置１２０より電波強度の増幅指令を受信したか否かを判定する（ステップＳ２２）。無線通信アダプタ２００は、電波強度の増幅指令を受信したと判定した場合、ステップＳ２３に処理を移し、電波強度の増幅指令を受信していないと判定した場合、ステップＳ２０に処理を移す。
【００４６】
ステップＳ２３では、無線通信アダプタ２００は、通常時よりも電波強度を増幅して保守コンソール３００とデータ送受信するための設定（例えば、通常の出力である第１出力よりも高い出力の第２出力の設定であってもよいし、電波の出力を最大にする設定であってもよい。）を行う。
【００４７】
続いて、無線通信アダプタ２００は、電波の出力を増大（例えば、出力を最大に）して保守コンソール３００に電波強度の増幅指令を送信する（ステップＳ２４）。
【００４８】
続いて、無線通信アダプタ２００は、所定時間内に、保守コンソール３００から応答データを受信したか否かを判定する（ステップＳ２５）。無線通信アダプタ２００は、応答データを受信したと判定した場合、ステップＳ２６に処理を移し、応答データを受信しなかった判定した場合、ステップＳ２７に処理を移す。
【００４９】
ステップＳ２６では、無線通信アダプタ２００は、保守コンソール３００から応答データを受信したことを示す受信状況をエレベーター監視装置１２０に回答（送信）する。
【００５０】
ステップＳ２７では、無線通信アダプタ２００は、保守コンソール３００と通常の出力でデータ送受信するための設定を行い、ステップＳ２０に処理を移す。
【００５１】
（保守コンソール３００が実行する処理）
保守コンソール３００は、無線通信アダプタ２００とデータ送受信を行う（ステップＳ３０）。
【００５２】
ここで、保守コンソール３００は、無線通信アダプタ２００から電波強度の増幅指令を受信したか否かを判定する（ステップＳ３１）。保守コンソール３００は、電波強度の増幅指令を受信したと判定した場合、ステップＳ３２に処理を移し、電波強度の増幅指令を受信しなかったと判定した場合、ステップＳ３０に処理を移す。
【００５３】
ステップＳ３２では、保守コンソール３００は、通常時よりも電波強度を増幅して無線通信アダプタ２００とデータ送受信するための設定（例えば、通常の出力である第１出力よりも高い出力の第２出力の設定であってもよいし、電波の出力を最大にする設定であってもよい。）を行う。
【００５４】
続いて、保守コンソール３００は、電波の出力を増大（例えば、出力を最大に）して無線通信アダプタ２００に応答データを送信する（ステップＳ３３）。
【００５５】
このように、無線通信アダプタ２００および保守コンソール３００での電波の出力を増大することで、通常の電波強度ではデータ送受信が困難な位置、データ送受信ができない位置などに保守作業員が移動して作業していたとしても、保守コンソール３００を適切に探索できるようになる。
【００５６】
続いて、保守コンソール３００は、無線通信アダプタ２００と通常の出力でデータ送受信するための設定を行う（ステップＳ３４）。
【００５７】
続いて、保守コンソール３００は、表示装置（図示せず。）にメッセージを表示し（ステップＳ３５）、ステップＳ３０に処理を移す。例えば、保守コンソール３００の画面上に電波強度が弱くなっている旨が表示されることにより、保守作業員に注意を促すことができる。
【００５８】
上述した構成によれば、保守作業員が発報禁止の設定を解除し忘れた場合でも、保守作業員が点検区域から退出したことを確実に検知することで、エレベーターの保守作業を終了したかを判断し、発報禁止の設定を自動で解除することができるので、信頼性の高いエレベーター監視システムを提供することができる。
【００５９】
（２）他の実施の形態
なお上述の実施の形態においては、本発明をエレベーター監視システム１に適用するようにした場合について述べたが、本発明はこれに限らず、複数の号機を監視するエレベーター監視システムなど、この他種々のエレベーター監視システムに広く適用することができる。
【００６０】
また上述の実施の形態においては、無線通信アダプタ２００がエレベーターの乗り場に設けられる場合について述べたが、本発明はこれに限らず、無線通信アダプタ２００がその他の場所に設けられるようにしてもよい。例えば、無線通信アダプタ２００は、制御盤１００内に設けられてもよいし、昇降路１０内に設けられてもよいし、その他の場所に設けられてもよい。
【００６１】
また上述の実施の形態においては、無線通信アダプタ２００が１つ設けられる場合について述べたが、本発明はこれに限らず、無線通信アダプタ２００が複数設けられるようにしてもよい。例えば、無線通信アダプタ２００は、各乗り場に設けられてもよいし、所定の階床に設けられてもよいし、昇降路１０内の所定の位置に設けられてもよい。この場合、例えば、全ての無線通信アダプタ２００において応答データを所定時間内に受信しなかったときに、発報禁止の設定を解除するようにする。
【００６２】
また上述の実施の形態においては、エレベーター監視装置１２０は、電波強度が減衰し、平常運転中であり、保守コンソール３００からの回答がなかったと判定した場合、発報禁止の設定を解除する場合について述べたが、本発明はこれに限らず、エレベーター監視装置１２０は、平常運転中であり、保守コンソール３００からの回答がなかったと判定した場合、発報禁止の設定を解除するようにしてもよい。
【００６３】
また上述の実施の形態においては、エレベーター監視装置１２０が行う処理の順序は図３に示すものに限らず、例えば、エレベーターの運転モードの問い合わせ（ステップＳ１３）および平常運転中か否かの判定（ステップＳ１４）を回答の判定（ステップＳ１７）の後に実施する等、他の順序としてもよい。
【００６４】
また上述の実施の形態においては、無線通信アダプタ２００は、データ送受信時に電波強度を算出して記憶する場合について述べたが、本発明はこれに限らず、無線通信アダプタ２００は、データ送受信時に電波強度に係る情報（電圧など）を記憶し、電波強度の問い合わせ時に電波強度を算出するようにしてもよい。
【００６５】
また上述の実施の形態においては、電波強度の問い合わせに応答して最新のデータ送受信時の電波強度を回答する場合について述べたが、本発明はこれに限らず、電波強度の問い合わせに応答して代表値（例えば、直近の数件分の平均値、中央値、最頻値など）を回答するようにしてもよい。
【００６６】
また上述の実施の形態においては、ステップＳ２１では無線通信アダプタ２００が最新のデータ送受信時の電波強度を回答するように構成した場合について述べたが、本発明はこれに限られず、ステップＳ２１において無線通信アダプタ２００が電波強度の問い合わせを受信したことを契機に保守コンソール３００と所定のデータ送受信を行い、当該データ送受信時の電波強度を回答するように構成してもよい。
【００６７】
また、本発明は、上述した内容に限られるものではなく、発明の要旨を変更しない範囲において、適宜に変更することができる。例えば、一の装置が他の装置の処理を行ってもよいし（例えば、制御盤１００の処理を無線通信アダプタ２００が行ってもよいし、無線通信アダプタ２００の処理を制御盤１００が行ってもよい。）、一の装置が他の装置を含んで構成されてもよいし、一の装置が複数の装置により構成されてもよい。また、例えば、上述した内容については、適宜に組み合わせることができる。
【符号の説明】
【００６８】
１……エレベーター監視システム、１００……制御盤、１１０……エレベーター制御装置、１２０……エレベーター監視装置、２００……無線通信アダプタ、３００……保守コンソール。
【図１】
2019011160.tif 000003
【図２】
2019011160.tif 000004
【図３】
2019011160.tif 000005